(57)【特許請求の範囲】
【請求項１】
送風機と、前記送風機から送られる送風をヒータにより加熱するとともに排出口から熱風として排出する加熱室とからなり、
前記ヒータが前記加熱室内のほぼ全域にわたって配置され、前記排出口が複数個備えられ、前記加熱室内に送風方向に沿うように仕切り板が変位可能に設けられ、前記仕切り板により前記加熱室内に複数の独立した内部空間が形成され、前記内部空間それぞれが前記排出口それぞれに独立して連通され、
前記仕切り板が変位されて前記内部空間それぞれの大きさが可変とされることで前記内部空間それぞれにおける前記ヒータによる伝熱面積が可変とされてなることを特徴とする熱風発生装置。
【発明の詳細な説明】
【技術分野】
【０００１】  この発明は、熱風発生装置に関する。
【背景技術】
【０００２】  寒冷地における工場等の給水設備においてはいては、冬季に給水配管の凍結の問題があり、例えば、熱風を吹き付けることでその凍結を解除することが行われている。
【発明の概要】
【発明が解決しようとする課題】
【０００３】  上記凍結は給水配管の複数箇所で発生する場合があり、その際には各々の箇所に熱風を送り吹き付けることとなるが、それぞれの箇所においてその凍結度合いが異なることがあり、同温度の熱風が供給されると凍結がスムーズに行われなかったり、また、無駄に熱風が消費されることとなった。これに対し、例えば、複数のヒータを内蔵する熱風発生器により異なる温度の熱風を供給することも考えられるが、その場合には装置が多大な構成となり高価なものとなる。【０００４】  この発明は上記の点に鑑みて行ったもので、複数の排出口から異なる温度の熱風を排出することで、凍結箇所等の複数の加熱対象に効率良く熱風を供給できるようにすることを目的とする。
【課題を解決するための手段】
【０００５】  この発明では、送風機と、前記送風機から送られる送風をヒータにより加熱するとともに排出口から熱風として排出する加熱室とからなり、前記ヒータが前記加熱室内のほぼ全域にわたって配置され、前記排出口が複数個備えられ、前記加熱室内に送風方向に沿うように仕切り板が変位可能に設けられ、前記仕切り板により前記加熱室内に複数の独立した内部空間が形成され、前記内部空間それぞれが前記排出口それぞれに独立して連通され、前記仕切り板が変位されて前記内部空間それぞれの大きさが可変とされることで前記内部空間それぞれにおける前記ヒータによる伝熱面積が可変とされてなることを特徴とする熱風発生装置を提供する。【０００６】  上記構成によれば、仕切り板が変位されることで仕切られる加熱室の内部空間それぞれの大きさが変わる。大きくなった内部空間ではヒータの伝熱面積が大きくなることで熱交換量が増大されて送風が高温に加熱され、小さくなった内部空間ではヒータの伝熱面積が小さくなることで熱交換量が減少されて送風が前者に比して低温に加熱され、それら内部空間に連通する排出口それぞれから異なる温度の熱風が排出される。このように、ヒータを兼用する構成において異なる温度の熱風が排出される。【０００７】  また、例えば、凍結度合いが異なる箇所に対応して風量をダンパー等により調整（低い熱量を必要とする箇所には供給風量を減じる）することで供給熱量を変化させることも考えられるが、その場合には総送風量が低下するので送風機の能力が最大限に生かされない。この発明の構成によれば、送風機の能力を無駄とすることなく異なる温度の熱風が供給できて供給熱量を変化させることが可能となる。【０００８】  熱風発生装置における仕切り板、排出口の数は加熱対象の個数に対応して適宜とされればよい。
【発明の効果】
【０００９】  この発明の熱風加熱装置は、複数の排出口から異なる温度の熱風を排出できるので、凍結箇所等の複数の加熱対象に対応して熱風を供給でき、寒冷地の給水設備等において好適に使用される。とくに、その構造において、異なる温度の熱風排出がヒータを兼用して行えることで構成に無駄がなく、装置が安価に製造される。くわえて、送風機の能力を損なうことなく供給熱量を変化させる点において優れる。
【図面の簡単な説明】
【００１０】
【図１】この発明の熱風発生装置の平面図
【図２】この発明の熱風発生装置の側面図
【図３】この発明の熱風発生装置の加熱室内の構成図
【図４】この発明の熱風発生装置の要部拡大図
【図５】この発明の熱風発生装置の動作説明のための平面図
【発明を実施するための形態】
【００１１】  図１はこの発明の熱風発生装置の平面図、図２は同側面図である。熱風発生器１は送風機２に加熱室４が連結されて構成されている。送風機２はモータ部５とファン部６と送風開口部８とからなり、基台１０上に固定設置されている。ファン部６には吸気ダクト１２が接続されている。なお、図示していないが、送風機２はケーシングにより覆われる。
【００１２】  加熱室４はその一端側の開口部１４が上記送風開口部８と連通するように送風機２に連結固定されている。加熱室４は平面形状を長方形とする扁平形態で、図３に示すように、一端側から他端側にヒータ１５が２段に蛇行配置されている。１７のそれぞれは仕切り板であり、基端のそれぞれが下端が加熱室４下部に固定される軸棒１８それぞれに回転可能に軸支されて設けられている。仕切り板１７のそれぞれはその長手方向に沿って上下２段に３個の長穴２０が設けられるとともに端部に切欠き２１のそれぞれが設けられ、それら長穴２０内それぞれに一対のヒータ管２２、２２が配置され、切欠き２１に一本のヒータ管２２が配置される。上記のようにして、仕切り板１７のそれぞれは加熱室４内に送風方向に沿うように変位可能に設けられ、かつ、仕切り板１７それぞれが設けられることで加熱室４内に３本の加熱送風路（内部空間）１９のそれぞれが形成される。
【００１３】  ２４のそれぞれは熱風の排出口であり、３個の排出口２４のそれぞれは上記仕切り板１７によって形成される３本の加熱送風路１９のそれぞれに連通するように並設配置されている。排出口２４それぞれには熱気の供給ダクト２７のそれぞれが接続されている。また、排出口２４それぞれの内側位置には熱電対４０それぞれが設けられ、これら熱電対４０によって検知される熱風温度が表示器で確認できるようになっている。
【００１４】  上記仕切り板１７それぞれの端部側の上部には操作つまみ３０それぞれが設けられ、図４に示すように、操作つまみ３０はその下部に湾曲形状の覆いプレート３２を一体に備えている。一方加熱室４の操作つまみ３０それぞれに対応するケース上壁３４には溝穴３６がそれぞれ形成され、操作つまみ３０はその溝穴３６から上方に突出し、かつ、その覆いプレート３２が溝穴３６の下面に位置している。このような構成により、操作つまみ３０を持って矢印方向に操作することで仕切り板１７一体に変位でき、溝穴３６を覆いプレート３２が覆い塞ぐことで溝穴３６から加熱室４内から熱気が無駄に排出されることはない。上記の仕切り板１７の変位動作は、図４に示すように、一対のヒータ管２２、２２の巾寸法Ｘより長穴２０の巾寸法Ｙが大きくされていることで支障なく行われる。
【００１５】  操作つまみ３０のそれぞれは仕切り板１７それぞれの異なる位置に設けられることで操作に際して互いの覆いプレート３２が衝突することがなく、また、操作つまみ３０と覆いプレート３２と溝穴３６との位置関係は操作つまみ３０がどの位置にきても覆いプレート３２で溝穴３６が覆われるとともに、覆いプレート３２の端部が加熱室４のケース側壁内面に衝突しないように設計されている。
【００１６】  以下、熱風発生装置１の動作説明を行う。図１に示す状態においては、仕切り板１７は互いに平行に位置し、この状態においては同幅の３本の加熱送風路１９は同幅で互いに平行に位置し、かつ、それぞれの加熱送風路１９には熱交換量（伝熱面積）を同じとするようにヒータ１５が位置している。したがって、ヒータ１５、送風機２が作動されると加熱送風路１９それぞれで「中温度」に加熱された熱風が排出口２４それぞれに至り、接続される供給ダクト２７それぞれに送られる。「中温度」レベルが正しく維持されているかどうかは熱電対４０それぞれが接続される表示器で確認され、維持されていない場合にはヒータ１５の出力調整がなされる。
【００１７】  これに対し、図５に示すように、一方の操作つまみ３０ａが操作されて一方の仕切り板１７ａが変位された場合には、加熱送風路１９ａは送風機２側が狭まった形態となって加熱送風路１９ａ内でのヒータ１５による熱交換量が減少される。
これに対して、加熱送風路１９ｂは送風機２側が広まった形態となって加熱送風路１９ｂ内でのヒータ１５による熱交換量が増大される。この図５の状態においては、例えば、排出口２４ａ、２４ｂ、２４ｃのそれぞれから「低温度」「高温度」「中温度」の熱風それぞれが排出される。それら温度は熱電対４０それぞれが接続される表示器４２で確認され、それぞれが所定の温度レベルに維持されていない場合には仕切り板１７が適宜調整変位されて加熱送風路１９ａ、１９ｂ、１９ｃそれぞれの形態が変えられることでその修正が行われ、また、全体のレベルが維持されていない場合にはヒータ１５の出力調整がなされる。
【符号の説明】
【００１８】１    熱風発生装置
２    送風機
４    加熱室
１５  ヒータ
１７  仕切り板
１９  加熱送風路（内部空間）
２４  排出口
【要約】
【課題】  複数の排出口から異なる温度の熱風を排出することで、凍結箇所等の複数の加熱対象に効率良く熱風を供給できるようにする。
【解決手段】  送風機２と、送風機２から送られる送風をヒータ１５により加熱するとともに排出口２４から熱風として排出する加熱室４とからなり、排出口２４を複数個備えるとともに、加熱室４内に送風方向に沿うように仕切り板１７が変位可能に設けられ、仕切り板１７が変位されることで仕切られる加熱室４の内部空間１９それぞれの大きさが可変とされ、内部空間１９それぞれが対応する複数の排出口２４それぞれに連通するように構成されてなる熱風発生装置。
【選択図】図１【図１】
0005464539.tif 000002
【図２】
0005464539.tif 000003
【図３】
0005464539.tif 000004
【図４】
0005464539.tif 000005
【図５】
0005464539.tif 000006